(57)【要約】  複数のデータ信号線（Ｓｎ）のそれぞれと接続可能に形成された補助配線は、複数のデータ信号線（Ｓｎ）のそれぞれにおけるデータ信号線駆動回路（４）との接続側と交差する第１の補助配線（１７）と、複数のデータ信号線（Ｓｎ）のそれぞれにおける終端側と交差する第２の補助配線（１８）とで構成されており、データ信号線駆動回路（４）から出力された正極性のデータ信号が入力される正極用アンプ回路（６）と、データ信号線駆動回路（４）から出力された負極性のデータ信号が入力される負極用アンプ回路（７）とを備え、正極用アンプ回路（６）および負極用アンプ回路（７）は、第１の補助配線（１７）と第２の補助配線（１８）との間に設けられ、正極用アンプ回路（６）または負極用アンプ回路（７）の出力は、第２の補助配線（１８）に供給される。
2012137851.tif 000002
【特許請求の範囲】
【請求項１】
データ信号線駆動回路に接続された複数のデータ信号線を備えた表示装置であって、
上記複数のデータ信号線のそれぞれと接続可能に形成された第１の補助配線および第２の補助配線を備え、
上記第１の補助配線は、上記複数のデータ信号線のそれぞれにおける上記データ信号線駆動回路との接続側と交差して配され、上記第２の補助配線は、上記複数のデータ信号線のそれぞれにおける終端側と交差して配されており、
上記データ信号線駆動回路から出力された正極性のデータ信号が上記第１の補助配線を介して入力される正極用アンプ回路と、
上記データ信号線駆動回路から出力された負極性のデータ信号が上記第１の補助配線を介して入力される負極用アンプ回路とを備え、
上記正極用アンプ回路または上記負極用アンプ回路の出力は、上記第２の補助配線に供給されることを特徴とする表示装置。
【請求項２】
上記正極用アンプ回路および上記負極用アンプ回路は、第１切替回路を介して上記第１の補助配線に接続されているとともに、第２切替回路を介して上記第２の補助配線に接続されていることを特徴とする請求項１に記載の表示装置。
【請求項３】
上記第１および第２切替回路は、上記データ信号線に供給されるデータ信号の極性を反転させる極性信号に応じて、切替動作を行うことを特徴とする請求項２に記載の表示装置。
【請求項４】
上記極性信号の位相を反転させることが可能な極性設定部が備えられていることを特徴とする請求項３に記載の表示装置。
【請求項５】
リペア回路は、上記正極用アンプ回路と上記負極用アンプ回路とを備えており、
上記極性信号により制御されるリペア回路と、位相が反転された極性信号により制御されるリペア回路とが備えられていることを特徴とする請求項３または４に記載の表示装置。
【請求項６】
リペア回路は、上記正極用アンプ回路と上記負極用アンプ回路とを備えており、
上記リペア回路には、上記第２の補助配線を上記正極用アンプ回路と上記負極用アンプ回路から電気的に分離した後に、上記第２の補助配線を上記正極用アンプ回路あるいは上記負極用アンプ回路の電源電圧範囲内にあるノードと所定期間接続するための第３切替回路が備えられており、該第３切替回路は、上記データ信号線駆動回路から出力される上記データ信号の極性が反転するときのみ、切替え動作を行うことを特徴とする請求項１から５の何れか１項に記載の表示装置。
【請求項７】
上記第３切替回路は、上記第２の補助配線を上記正極用アンプ回路と上記負極用アンプ回路から電気的に分離した後に、上記第２の補助配線を所定期間接地することを特徴とする請求項６に記載の表示装置。
【請求項８】
上記第３切替回路は、上記表示装置の表示領域中のいずれの走査信号線も選択されていないときにのみ切替え動作を行うことを特徴とする請求項６または７に記載の表示装置。
【請求項９】
リペア回路は、上記正極用アンプ回路と上記負極用アンプ回路とを備えており、
上記リペア回路には、上記第１の補助配線を上記正極用アンプ回路と上記負極用アンプ回路から電気的に分離した後に、上記第１の補助配線を上記正極用アンプ回路あるいは上記負極用アンプ回路の電源電圧範囲内にあるノードと所定期間接続するための第４切替回路が備えられており、該第４切替回路は、上記データ信号線駆動回路から出力される上記データ信号の極性が反転するときのみ、切替え動作を行うことを特徴とする請求項１から８の何れか１項に記載の表示装置。
【請求項１０】
上記第４切替回路は、上記第１の補助配線を上記正極用アンプ回路と上記負極用アンプ回路から電気的に分離した後に、上記第１の補助配線を所定期間接地することを特徴とする請求項９に記載の表示装置。
【請求項１１】
上記第４切替回路は、上記表示装置の表示領域中のいずれの走査信号線も選択されていないときにのみ切替え動作を行うことを特徴とする請求項９または１０に記載の表示装置。
【請求項１２】
上記データ信号線駆動回路においては、複数の上記正極用アンプ回路および上記負極用アンプ回路が備えられていることを特徴とする請求項１から１１の何れか１項に記載の表示装置。
【請求項１３】
リペア回路は、上記正極用アンプ回路と上記負極用アンプ回路とを備えており、
上記第１の補助配線および上記第２の補助配線は、上記リペア回路一つにつきそれぞれ２つずつ備えられており、
上記リペア回路は、上記データ信号線に供給されるデータ信号の極性を反転させる極性信号に応じて、上記２つの第１の補助配線中の一方から入力され、上記正極用アンプ回路または、上記負極用アンプ回路の何れか一方を介して出力される上記データ信号は、上記２つの第２の補助配線中の一方から出力され、上記２つの第１の補助配線中の他方から入力され、上記正極用アンプ回路または、上記負極用アンプ回路の何れか一方を介して出力される上記データ信号は、上記２つの第２の補助配線中の他方から出力されることを特徴とする請求項１に記載の表示装置。
【請求項１４】
上記正極用アンプ回路のＬｏｗ側電源と上記負極用アンプ回路のＨｉｇｈ側電源とを共用することを特徴とする請求項１から１３の何れか１項に記載の表示装置。
【請求項１５】
上記共用した電源電圧の電位レベルを接地時の電位とすることを特徴とする請求項１４に記載の表示装置。
【請求項１６】
上記正極用アンプ回路のＨｉｇｈ側の電源電圧値と上記負極用アンプ回路のＬｏｗ側の電源電圧値の絶対値との差は、０．５Ｖ以下であることを特徴とする請求項１から１５の何れか１項に記載の表示装置。
【請求項１７】
上記複数のデータ信号線の何れか一つと、上記第１の補助配線および上記第２の補助配線とは、電気的に接続されていることを特徴とする請求項１から１６の何れか１項に記載の表示装置。
【請求項１８】
請求項１から１７の何れか１項に記載の表示装置には表示パネルが備えられており、
上記表示パネルが液晶表示パネルであることを特徴とする液晶表示装置。
【請求項１９】
上記第２の補助配線を上記正極用アンプ回路と接続する前には、上記第２の補助配線は接地時の電位より高い電源電圧範囲にあるノードと所定期間接続され、
上記第２の補助配線を上記負極用アンプ回路と接続する前には、上記第２の補助配線は接地時の電位より低い電源電圧範囲にあるノードと所定期間接続されることを特徴とする請求項６に記載の表示装置。
【請求項２０】
上記第１の補助配線を上記正極用アンプ回路と接続する前には、上記第１の補助配線は接地時の電位より高い電源電圧範囲にあるノードと所定期間接続され、
上記第１の補助配線を上記負極用アンプ回路と接続する前には、上記第１の補助配線は接地時の電位より低い電源電圧範囲にあるノードと所定期間接続されることを特徴とする請求項９に記載の表示装置。
【発明の詳細な説明】
【技術分野】
【０００１】
本発明は、データ信号線に断線などの不具合が生じた場合に、修正を行い、駆動させるための配線とリペア回路とを備えた表示装置に関するものである。
【背景技術】
【０００２】
近年、表示装置の分野においては、大型化や高精細化に伴い、信号配線の長さおよび／またはその数が増加する傾向にある。また、表示パネルの透過率に直結する開口率を高くするために信号配線の細線化が加速する傾向にある。【０００３】
このような傾向に伴い、表示装置の信号配線に断線などの不具合が生じる可能性もその分、高くなっている。【０００４】
従来から、表示装置の信号配線に断線などの不具合が生じた場合に、修正を行い、駆動させるための試みがなされている。【０００５】
図２５には、その一例として、データ信号線に断線などの不具合が生じた場合に、修正を行い、駆動させるための配線とリペア回路とを備えた液晶表示装置が図示されている。【０００６】
図示されているように、液晶表示装置１０９には、液晶表示パネル１００と、液晶表示パネル１００にＦＰＣ１０７を介して接続されているコントロール基板１０８と、が備えられている。【０００７】
液晶表示パネル１００には、マトリクス状に配置された複数の画素（未図示）からなる表示領域Ｒ１と、表示領域Ｒ１の周辺領域に複数の走査信号線（未図示）に走査信号を供給するための走査信号線駆動回路（ゲートドライバ）１０１および複数のデータ信号線Ｓ１・Ｓ２・・・Ｓ′（２ｎ）にデータ信号を供給するためのデータ信号線駆動回路（ソースドライバ）１０２ａ・１０２ｂと、が備えられている。【０００８】
そして、図示してないが、表示領域Ｒ１においては、上記走査信号線とデータ信号線Ｓ１・Ｓ２・・・Ｓ′（２ｎ）とが互いに直交しており、上記直交する箇所の各々の近傍には、上記複数の画素の各々に備えられた画素電極に電気的に接続されているＴＦＴなどのスイッチング素子（未図示）が設けられている。【０００９】
また、図示されているように、データ信号線駆動回路１０２ａには、データ信号線Ｓ１・Ｓ２・・・Ｓ（２ｎ）にデータ信号を供給するためのソースアンプ回路１０３ａと、データ信号線Ｓ１・Ｓ２・・・Ｓ（２ｎ）に断線が生じた場合に、修正を行い、駆動させるためのリペアアンプ回路１０４ａと、が備えられている。【００１０】
そして、予備配線１０５ａは、表示領域Ｒ１とデータ信号線駆動回路１０２ａとの間の領域において、データ信号線Ｓ１・Ｓ２・・・Ｓ（２ｎ）のデータ信号線駆動回路１０２ａ側の端部を横切るように設けられており、予備配線１０６ａは、表示領域Ｒ１以外に引き回され、データ信号線Ｓ１・Ｓ２・・・Ｓ（２ｎ）のデータ信号線駆動回路１０２ａとは反対側の端部を横切るように設けられている。【００１１】
リペアアンプ回路１０４ａの入力端子には予備配線１０５ａが電気的に接続されており、リペアアンプ回路１０４ａの出力端子には予備配線１０６ａが電気的に接続されている。【００１２】
同様に、データ信号線駆動回路１０２ｂには、データ信号線Ｓ′１・Ｓ′２・・・Ｓ′（２ｎ）にデータ信号を供給するためのソースアンプ回路１０３ｂと、データ信号線Ｓ′１・Ｓ′２・・・Ｓ′（２ｎ）に断線が生じた場合に、修正を行い、駆動させるためのリペアアンプ回路１０４ｂと、が備えられている。【００１３】
そして、予備配線１０５ｂは、表示領域Ｒ１とデータ信号線駆動回路１０２ｂとの間の領域において、データ信号線Ｓ′１・Ｓ′２・・・Ｓ′（２ｎ）のデータ信号線駆動回路１０２ｂ側の端部を横切るように設けられており、予備配線１０６ｂは、表示領域Ｒ１以外に引き回され、データ信号線Ｓ′１・Ｓ′２・・・Ｓ′（２ｎ）のデータ信号線駆動回路１０２ｂとは反対側の端部を横切るように設けられている。【００１４】
また、リペアアンプ回路１０４ｂの入力端子には予備配線１０５ｂが電気的に接続されており、リペアアンプ回路１０４ｂの出力端子には予備配線１０６ｂが電気的に接続されている。【００１５】
そして、コントロール基板１０８には、図示されてないが、電源生成回路やタイミングコントローラなどが備えられている。【００１６】
上記構成によれば、図示されているように、液晶表示装置１０９の検査工程で、データ信号線Ｓ１に断線部（図中Ｘ印）などが見つかった際に、該当データ信号線Ｓ１を予備配線１０５ａと予備配線１０６ａとにショート（結線）させることができるようになっている。【００１７】
このようにすることにより、データ信号線Ｓ１において、断線部からデータ信号線駆動回路１０２ａ側には、通常通り、データ信号線駆動回路１０２ａからデータ信号が供給され、データ信号線Ｓ１において、断線部からデータ信号線駆動回路１０２ａの反対側には、予備配線１０５ａとリペアアンプ回路１０４ａと予備配線１０６ａとを介してデータ信号を供給することができる。【００１８】
したがって、断線部を有するデータ信号線Ｓ１全体にデータ信号を供給することができる。【００１９】
また、データ信号線Ｓ′３に断線部（図中Ｘ印）などが見つかった場合においても、同様の方法を用いて、断線部を有するデータ信号線Ｓ′３全体にデータ信号を供給することができる。【００２０】
以上のように、液晶表示装置１０９においては、リペアアンプ回路１０４ａ・１０４ｂと予備配線１０５ａ・１０５ｂ・１０６ａ・１０６ｂとが備えられているため、データ信号線Ｓ１・Ｓ２・・・Ｓ′（２ｎ）に断線などの不具合が生じた場合であっても、修正を行い、駆動させることができる。
【先行技術文献】
【特許文献】
【００２１】
【特許文献１】特開２００８−５８３３７号公報（２００８年３月１３日公開）
【発明の概要】
【発明が解決しようとする課題】
【００２２】
図２６は、データ信号線駆動回路１０２ａの回路構成を示す図である。【００２３】
図示されているように、データ信号線Ｓ１・Ｓ２・・・Ｓ（２ｎ）にデータ信号を供給するためのソースアンプ回路１０３ａには、各々のデータ信号線に電気的に接続するように、一つのアナログアンプ１１０が設けられている。すなわち、ソースアンプ回路１０３ａには、上記データ信号線の数分である２ｎ個のアナログアンプ１１０が設けられている。【００２４】
そして、リペアアンプ回路１０４ａには、ソースアンプ回路１０３ａと同様のアナログアンプ１１０が一つ備えられ、ソースアンプ回路１０４ａの入力端子には予備配線１０５ａが、ソースアンプ回路１０４ａの出力端子には予備配線１０６ａが、それぞれ電気的に接続されている。【００２５】
なお、図中、点線で示しているように、リペアアンプ回路および予備配線の数は、必要に応じて適宜追加することができる。【００２６】
液晶表示装置１０９が、例えば、ドット反転駆動やライン反転駆動やフレーム反転駆動などのように、極性反転駆動される場合、データ信号線駆動回路１０２ａに備えられたアナログアンプ１１０には、正極性から負極性までのデータ信号が入力されるため、耐圧が大きい必要があり、そのサイズが大きくなってしまうという問題がある。【００２７】
このようなアナログアンプ１１０を備えたリペアアンプ回路１０４ａは、そのサイズが比較的大きくなってしまうとともに、その消費電力も大きいため、このようなリペアアンプ回路１０４ａを備えた液晶表示装置１０９は、非表示領域である額縁領域が大きくなってしまうとともに、低消費電力化を実現するのが困難となる。【００２８】
本発明は、上記の問題点に鑑みてなされたものであり、非表示領域である額縁領域を小さくすることができるとともに、低消費電力化を実現できる表示装置を提供することを目的とする。
【課題を解決するための手段】
【００２９】
本発明の表示装置は、上記の課題を解決するために、データ信号線駆動回路に接続された複数のデータ信号線を備えた表示装置であって、上記複数のデータ信号線のそれぞれと接続可能に形成された第１の補助配線および第２の補助配線を備え、上記第１の補助配線は、上記複数のデータ信号線のそれぞれにおける上記データ信号線駆動回路との接続側と交差して配され、上記第２の補助配線は、上記複数のデータ信号線のそれぞれにおける終端側と交差して配されており、上記データ信号線駆動回路から出力された正極性のデータ信号が上記第１の補助配線を介して入力される正極用アンプ回路と、上記データ信号線駆動回路から出力された負極性のデータ信号が上記第１の補助配線を介して入力される負極用アンプ回路とを備え、上記正極用アンプ回路または上記負極用アンプ回路の出力は、上記第２の補助配線に供給されることを特徴としている。【００３０】
上記表示装置には、データ信号線に断線などの不具合が生じた場合に、修正を行い、駆動させるための補助配線である第１の補助配線および第２の補助配線と、正極用アンプ回路および負極用アンプ回路と、が備えられている。【００３１】
そして、正極性のデータ信号は正極用アンプ回路を介して出力され、負極性のデータ信号は負極用アンプ回路を介して出力されるようになっている。【００３２】
したがって、正極用アンプおよび負極用アンプの耐圧を従来のアンプより小さくすることができる。【００３３】
よって、正極用アンプ回路および負極用アンプ回路が備えられる非表示領域である額縁領域を小さくすることができるとともに、上記構成によれば、低消費電力化を実現できる。
【発明の効果】
【００３４】
本発明の表示装置は、以上のように、上記複数のデータ信号線のそれぞれと接続可能に形成された第１の補助配線および第２の補助配線を備え、上記第１の補助配線は、上記複数のデータ信号線のそれぞれにおける上記データ信号線駆動回路との接続側と交差して配され、上記第２の補助配線は、上記複数のデータ信号線のそれぞれにおける終端側と交差して配されており、上記データ信号線駆動回路から出力された正極性のデータ信号が上記第１の補助配線を介して入力される正極用アンプ回路と、上記データ信号線駆動回路から出力された負極性のデータ信号が上記第１の補助配線を介して入力される負極用アンプ回路とを備え、上記正極用アンプ回路または上記負極用アンプ回路の出力は、上記第２の補助配線に供給される構成である。【００３５】
それゆえ、非表示領域である額縁領域を小さくすることができるとともに、低消費電力化を実現できる表示装置を提供できる。
【図面の簡単な説明】
【００３６】
【図１】本発明の一実施の形態の液晶表示装置の概略構成を示す図である。
【図２】本発明の一実施の形態の液晶表示装置に備えられたリペアアンプ回路（極性設定部除く）の回路構造を示す図である。
【図３】（ａ）は、従来の液晶表示装置に備えられたリペアアンプ回路の回路構造を示す図であり、（ｂ）は、本発明の一実施の形態において用いることが可能なリペアアンプ回路の回路構造を示す図である。
【図４】本発明の一実施の形態の液晶表示装置に備えられた液晶表示パネルの概略構成を示す図である。
【図５】図４に示す液晶表示パネルのデータ信号線Ｓ（２ｎ−１）に断線が生じ、これを修正した場合を示す図である。
【図６】図４に示す液晶表示パネルのデータ信号線Ｓ（２ｎ）に断線が生じ、これを修正した場合を示す図である。
【図７】本発明の他の実施の形態の液晶表示装置に備えられた極性設定部を有さない２つのリペアアンプ回路を備えた液晶表示パネルの概略構成を示す図である。
【図８】図７に示す液晶表示パネルのデータ信号線Ｓ（２ｎ−１）に断線が生じ、これを修正した場合を示す図である。
【図９】図７に示す液晶表示パネルのデータ信号線Ｓ（２ｎ）に断線が生じ、これを修正した場合を示す図である。
【図１０】本発明のさらに他の実施の形態の液晶表示装置に備えられたリペアアンプ回路を備えた液晶表示パネルの概略構成を示す図である。
【図１１】本発明のさらに他の実施の形態の液晶表示装置に備えられたリペアアンプ回路の回路構成を示す図である。
【図１２】図１１に示すリペアアンプ回路の駆動タイミングチャートを示す図である。
【図１３】本発明のさらに他の実施の形態の液晶表示装置に備えられた第３切替回路を備えたリペアアンプ回路の回路構成を示す図である。
【図１４】図１３に示すリペアアンプ回路の駆動タイミングチャートを示す図である。
【図１５】本発明のさらに他の実施の形態の液晶表示装置に備えられた他の第３切替回路を備えたリペアアンプ回路の回路構成を示す図である。
【図１６】図１５に示すリペアアンプ回路の駆動タイミングチャートを示す図である。
【図１７】本発明のさらに他の実施の形態の液晶表示装置に備えられたさらに他の第３切替回路を備えたリペアアンプ回路の回路構成を示す図である。
【図１８】図１７に示すリペアアンプ回路の駆動タイミングチャートを示す図である。
【図１９】本発明のさらに他の実施の形態の液晶表示装置に備えられた第４切替回路を備えたリペアアンプ回路の回路構成を示す図である。
【図２０】図１９に示すリペアアンプ回路の駆動タイミングチャートを示す図である。
【図２１】本発明のさらに他の実施の形態の液晶表示装置に備えられた他の第４切替回路を備えたリペアアンプ回路の回路構成を示す図である。
【図２２】図２１に示すリペアアンプ回路の駆動タイミングチャートを示す図である。
【図２３】本発明のさらに他の実施の形態の液晶表示装置に備えられたさらに他の第４切替回路を備えたリペアアンプ回路の回路構成を示す図である。
【図２４】図２３に示すリペアアンプ回路の駆動タイミングチャートを示す図である。
【図２５】データ信号線に断線などの不具合が生じた場合に、修正を行い、駆動させるための配線とリペア回路とを備えた従来の液晶表示装置の構成を示す図である。
【図２６】従来のデータ信号線駆動回路の回路構成を示す図である。
【発明を実施するための形態】
【００３７】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００３８】
なお、以下の各実施の形態においては、表示装置として液晶表示装置を例に挙げて説明をするが、極性反転駆動を用いて表示を行う表示装置であれば、その種類は特に限定されない。
【００３９】
〔実施の形態１〕
以下、図１から図６に基づいて、本発明の第１の実施形態について説明する。
【００４０】
図１は、液晶表示装置１の概略構成を示す図である。
【００４１】
図示されているように、液晶表示装置１には、液晶表示パネル２と、液晶表示パネル２にＦＰＣ１３を介して接続されているコントロール基板１４と、が備えられている。
【００４２】
液晶表示パネル２には、マトリクス状に配置された複数の画素（未図示）からなる表示領域Ｒ１と、表示領域Ｒ１の周辺領域に複数の走査信号線（未図示）に走査信号を供給するための走査信号線駆動回路（ゲートドライバ）３および複数のデータ信号線Ｓ１・Ｓ２・・・Ｓ（２ｎ）にデータ信号を供給するためのデータ信号線駆動回路（ソースドライバ）４と、が備えられている。
【００４３】
そして、図示してないが、表示領域Ｒ１においては、上記走査信号線とデータ信号線Ｓ１・Ｓ２・・・Ｓ（２ｎ）とが互いに直交しており、上記直交する箇所の各々の近傍には、上記複数の画素の各々に備えられた画素電極に電気的に接続されているＴＦＴなどのスイッチング素子（未図示）が設けられている。
【００４４】
また、図示されているように、データ信号線駆動回路４には、データ信号線Ｓ１・Ｓ２・・・Ｓ（２ｎ）に断線が生じた場合に、修正を行い、駆動させるためのリペアアンプ回路５が備えられており、リペアアンプ回路５には、修正用配線としての第１の補助配線１７および第２の補助配線１８が電気的に接続されている。
【００４５】
第１の補助配線１７は、表示領域Ｒ１とデータ信号線駆動回路４との間の領域において、データ信号線Ｓ１・Ｓ２・・・Ｓ（２ｎ）のデータ信号線駆動回路４側の端部を横切るように設けられており、第２の補助配線１８は、表示領域Ｒ１以外に引き回され、データ信号線Ｓ１・Ｓ２・・・Ｓ（２ｎ）のデータ信号線駆動回路４とは反対側の端部を横切るように設けられている。
【００４６】
図示されているように、リペアアンプ回路５には、正極用アンプ回路６と負極用アンプ回路７とが備えられており、正極用アンプ回路６および負極用アンプ回路７は、スイッチ部（第１切替回路）８を介して第１の補助配線１７に接続されているとともに、スイッチ部（第２切替回路）９を介して第２の補助配線１８に接続されている。
【００４７】
そして、リペアアンプ回路５には、さらに、ロジック回路１１を備えた極性設定部１２が備えられている。
【００４８】
ロジック回路１１には、Ｈｉｇｈ電源およびＧＮＤと接続された配線１０が電気的に接続されており、配線１０がハイレベルであるかロウレベルであるかによって、ロジック回路１１に入力される極性信号ＰＯＬをそのまま出力するのか、反転させて出力するのかが決定されるようになっている。
【００４９】
そして、スイッチ部８・９は、ロジック回路１１から出力される極性信号ＰＯＬ′に応じて、切替動作を行うようになっている。
【００５０】
本実施の形態においては、ロジック回路１１から出力される極性信号ＰＯＬ′がハイレベルの場合、スイッチ部８・９は正極用アンプ回路６と電気的に接続され、ロジック回路１１から出力される極性信号ＰＯＬ′がロウレベルの場合、スイッチ部８・９は負極用アンプ回路７と電気的に接続されるようにしているが、これに限定されることはない。
【００５１】
なお、本実施の形態においては、液晶表示装置１を隣接するデータ信号線同士の極性が反対であるドット反転駆動方式を用いて、表示を行っており、極性の異なるデータ信号線の何れをも修正可能にするため、極性設定部１２を設けているが、隣接するデータ信号線同士が同じ極性で駆動されるフレーム反転駆動方式やライン反転駆動方式などを用いて、表示を行う場合などには、極性設定部１２を設けなくてもよい。
【００５２】
そして、コントロール基板１４には、電源生成回路１５やタイミングコントローラ１６などが備えられている。
【００５３】
電源生成回路１５は、液晶表示装置１内の各回路が動作するために必要な電圧であるＶｄｄ１、Ｖｄｄ２、Ｖｃｃ、Ｖｇｈ、およびＶｇｌを生成し、Ｖｃｃ、Ｖｇｈ、Ｖｇｌを走査線駆動回路３に出力し、Ｖｄｄ１、Ｖｄｄ２およびＶｃｃをデータ信号線駆動回路４に出力し、Ｖｃｃをタイミングコントローラ１６に出力するようになっている。
【００５４】
また、タイミングコントローラ１６には、外部から映像信号および同期信号Ｈｓｙｎｃ・Ｖｓｙｎｃが入力される。
【００５５】
そして、タイミングコントローラ１６は、これらの入力信号に基づき、各回路が同期して動作するための基準となる映像同期信号として、ゲートクロックＧＣＫおよびゲートスタートパルスＧＳＰを生成し、走査線駆動回路３に出力する一方、ソースクロックＳＣＫおよびソーススタートパルスＳＳＰおよび外部から入力された映像信号を上記入力信号に基づき、映像データを生成し、データ信号線駆動回路４に出力するようになっている。
【００５６】
さらに、タイミングコントローラ１６は、データ信号線駆動回路４およびリペアアンプ回路５に極性信号ＰＯＬを出力するようになっている。
【００５７】
図２は、極性設定部１２を除いたリペアアンプ回路５の回路構造を示す図である。
【００５８】
図示されているように、電源生成回路１５で生成された正の電源電圧Ｖｄｄ１は、正極用アンプ回路６に入力されるようになっており、電源生成回路１５で生成された負の電源電圧Ｖｄｄ２は、負極用アンプ回路７に入力されるようになっている。
【００５９】
そして、正極用アンプ回路６および負極用アンプ回路７は、それぞれＧＮＤに接地されている。
【００６０】
したがって、正極用アンプ回路６は０Ｖ〜Ｖｄｄ１の入出力範囲を有し、負極用アンプ回路７は、Ｖｄｄ２〜０Ｖの入出力範囲を有する。
【００６１】
図３の（ａ）は、図２５に示す従来の液晶表示装置１０９に備えられたリペアアンプ回路１０４ａの回路構造を示す図である。
【００６２】
図示されているように、リペアアンプ回路１０４ａに備えられたアナログアンプ１１０は、ＧＮＤに接地されているとともに、電源電圧Ｖｄｄ０が入力されるようになっている。
【００６３】
従来においては、電源電圧Ｖｄｄ０として１２Ｖが用いられていたため、アナログアンプ１１０の電圧の入出力範囲は、０Ｖ〜１２Ｖと高く、アナログアンプ１１０には高耐圧性が要求されていた。
【００６４】
したがって、既に上述したように、アナログアンプ１１０は、そのサイズが比較的大きくなってしまうとともに、その消費電力も大きいという問題を有していた。
【００６５】
一方、本実施の形態においては、図２に図示されているように、リペアアンプ回路５には、正極用アンプ回路６と負極用アンプ回路７とが備えられており、正極用アンプ回路６に供給されるＶｄｄ１および負極用アンプ回路７に供給されるＶｄｄ２は、それぞれ、従来のアナログアンプ１１０に供給される電源電圧Ｖｄｄ０（１２Ｖ）の半分程度の電圧レベル（６Ｖ）の絶対値を有するように設定した。
【００６６】
なお、本実施の形態においては、電源生成回路１５において、電源昇圧回路の回路構成を簡易にするため、正負電源電圧であるＶｄｄ１とＶｄｄ２とを同じ電位レベルとしているが、これに限定されることはなく、Ｖｄｄ１とＶｄｄ２の電圧値の絶対値の大小関係は特に問題にならない。
【００６７】
また、電源昇圧回路の回路構成を簡易にできる効果は、Ｖｄｄ１とＶｄｄ２とを同じ電位レベルとしなくても、Ｖｄｄ１とＶｄｄ２の絶対値との差が、０．５Ｖ以下であれば、得ることができる。
【００６８】
また、本実施の形態においては、正極用アンプ回路６および負極用アンプ回路７を、それぞれＧＮＤに接地させているが、これに限定されることはなく、図３の（ｂ）に図示されているように、正極用アンプ回路６には、Ｖｄｄ１とともに、Ｖｄｄ１より低い電位レベルであるＶｄｄ３を供給し、負極用アンプ回路７には、Ｖｄｄ２とともに、Ｖｄｄ２より高い電位レベルであるＶｄｄ４を供給するような構成とすることもできる。
【００６９】
但し、図３の（ｂ）に示す構成とした場合、従来のアナログアンプ１１０と比較して、そのサイズ面や消費電力面で有利な効果を得るためには、Ｖｄｄ１とＶｄｄ３との差の絶対値およびＶｄｄ２とＶｄｄ４との差の絶対値が、何れも図３の（ａ）に示す従来のアナログアンプ１１０の耐圧値（ＶＤＤ０−ＧＮＤ）より小さくなるように設定する必要がある。
【００７０】
図４は、液晶表示装置１に備えられた液晶表示パネル２の概略構成を示す図である。
【００７１】
図示されているように、データ信号線駆動回路４内には、リペアアンプ回路５に備えられた正極用アンプ回路６と負極用アンプ回路７とが、データ信号線Ｓ１・Ｓ２・・・Ｓ（２ｎ）の数分設けられている。
【００７２】
そして、正極用アンプ回路６および負極用アンプ回路７は、スイッチ部８を介してタイミングコントローラ１６から映像データが供給される映像データ線に接続されているとともに、スイッチ部９を介してデータ信号線Ｓ１・Ｓ２・・・Ｓ（２ｎ）に接続されている。
【００７３】
そして、図示されているように、各々のデータ信号線Ｓ１・・・Ｓ（２ｎ−１）のスイッチ部８・９に供給される極性信号ＰＯＬと、各々のデータ信号線Ｓ２・・・Ｓ（２ｎ）のスイッチ部８・９に供給される極性信号ＰＯＬとは、反対極性となるように、各々のデータ信号線Ｓ２・・・Ｓ（２ｎ）のスイッチ部８・９にはインバーター１９を介して極性信号ＰＯＬが供給されるようになっている。
【００７４】
なお、本実施の形態においては、データ信号線駆動回路４に１種類の極性信号ＰＯＬが供給され、データ信号線駆動回路４内で、インバーター１９を用いて、極性が反対の極性信号ＰＯＬを作り出しているが、これに限定されることはなく、データ信号線駆動回路４に互いに極性が反対となる２種類の極性信号ＰＯＬを供給するようにしてもよい。
【００７５】
このような構成の場合、上記２種類の極性信号ＰＯＬのどちらがリペアアンプ回路５に入力されても、極性設定部１２が備えられているため、問題とならない。
【００７６】
なお、本実施の形態の液晶表示装置１においては、さらに非表示領域である額縁領域を小さくするとともに、低消費電力化を実現するため、データ信号線駆動回路４内に、正極用アンプ回路６と負極用アンプ回路７とが、データ信号線Ｓ１・Ｓ２・・・Ｓ（２ｎ）の数分設けられている構成を用いているが、これに限定されることはなく、図２６に示すようなソースアンプ回路１０３ａを用いてもよい。
【００７７】
なお、本実施の形態においては、リペアアンプ回路５をデータ信号線駆動回路４内に、設けた場合を例に挙げて説明しているが、これに限定されない。
【００７８】
図５は、リペアアンプ回路５に供給される極性信号ＰＯＬと同じ極性の極性信号ＰＯＬが供給されるスイッチ部８・９と接続されているデータ信号線Ｓ１・・・Ｓ（２ｎ−１）中の一つであるデータ信号線Ｓ（２ｎ−１）に断線が生じ、これを修正した場合を示す図である。
【００７９】
なお、本実施の形態においては、極性設定部１２に備えられたロジック回路１１に電気的に接続されている配線１０がロウレベルである場合、ロジック回路１１に入力される極性信号ＰＯＬをスイッチ部８・９にそのまま出力するようになっているため、極性設定部１２を用いて、後述する極性設定を行う必要はない。
【００８０】
図示されているように、データ信号線Ｓ（２ｎ−１）と、第１の補助配線１７および第２の補助配線１８とが交差する箇所をレーザー処理して、接続することにより、断線が生じたデータ信号線Ｓ（２ｎ−１）にも、正常にデータ信号を供給することができる。
【００８１】
一方、図６は、リペアアンプ回路５に供給される極性信号ＰＯＬと反対極性の極性信号ＰＯＬが供給されるスイッチ部８・９と電気的接続されているデータ信号線Ｓ２・・・Ｓ（２ｎ）中の一つであるデータ信号線Ｓ（２ｎ）に断線が生じ、これを修正した場合を示す図である。
【００８２】
なお、本実施の形態においては、極性設定部１２に備えられたロジック回路１１に電気的に接続されている配線１０がハイレベルである場合、ロジック回路１１に入力される極性信号ＰＯＬを反転させてスイッチ部８・９に出力するようになっているため、極性設定部１２において、ロジック回路１１に電気的に接続されている配線１０をＧＮＤと切断し、ハイレベルにする必要がある。
【００８３】
したがって、このような場合においては、図示されているように、データ信号線Ｓ（２ｎ）と、第１の補助配線１７および第２の補助配線１８とが交差する箇所はレーザー処理して接続するが、極性設定部１２においては、レーザー処理で、ロジック回路１１に電気的に接続されている配線１０をＧＮＤから切断させて、ハイレベルとした。
【００８４】
なお、本実施の形態においては、レーザー処理を用いて、接続作業および切断作業を行っているが、これに限定されることはない。
【００８５】
また、本実施の形態においては、ロジック回路１１は、配線１０がロウレベルである場合、ロジック回路１１に入力される極性信号ＰＯＬをそのまま出力するようにしており、配線１０がハイレベルである場合、ロジック回路１１に入力される極性信号ＰＯＬと反対極性の極性信号ＰＯＬが出力されるように設定しているが、これに限定されることはなく、この設定を逆にしてもよい。但し、この場合、極性設定部１２の設定作業が生じるのも逆となる。
【００８６】
本実施の形態においては、一つのリペアアンプ回路５と、第１の補助配線１７および第２の補助配線１８をそれぞれ１本ずつ設けた場合を例に挙げて説明したが、これらの数は必要に応じて増加させることができるのは勿論である。
【００８７】
〔実施の形態２〕
次に、図７から図９に基づいて、本発明の第２の実施形態について説明する。本実施の形態の液晶表示装置においては、極性設定部１２を有さない２つのリペアアンプ回路２０・２１と、第１の補助配線１７ａ・１７ｂおよび第２の補助配線１８ａ・１８ｂとをそれぞれ２本ずつ備えている点において、実施の形態１とは異なっており、その他の構成については実施の形態１において説明したとおりである。
【００８８】
図７は、極性設定部１２を有さない２つのリペアアンプ回路２０・２１を備えた液晶表示パネル２ａの概略構成を示す図である。
【００８９】
図示されているように、リペアアンプ回路２０には、データ信号線Ｓ１・・・Ｓ（２ｎ−１）に接続されているスイッチ部８・９に供給される極性信号ＰＯＬと同じ極性の極性信号ＰＯＬが供給されるようになっており、リペアアンプ回路２１には、データ信号線Ｓ２・・・Ｓ（２ｎ）に接続されているスイッチ部８・９に供給される極性信号ＰＯＬと同じ極性の極性信号ＰＯＬが供給されるようになっている。
【００９０】
そして、リペアアンプ回路２０には、第１の補助配線１７ａおよび第２の補助配線１８ａが電気的に接続されており、リペアアンプ回路２１には、第１の補助配線１７ｂおよび第２の補助配線１８ｂが電気的に接続されている。
【００９１】
上記構成によれば、リペアアンプ回路２０は、データ信号線Ｓ１・・・Ｓ（２ｎ−１）用として、リペアアンプ回路２１は、データ信号線Ｓ２・・・Ｓ（２ｎ）用として、それぞれ用いることができる。
【００９２】
図８は、リペアアンプ回路２０に供給される極性信号ＰＯＬと同じ極性の極性信号ＰＯＬが供給されるスイッチ部８・９と接続されているデータ信号線Ｓ１・・・Ｓ（２ｎ−１）中の一つであるデータ信号線Ｓ（２ｎ−１）に断線が生じ、これを修正した場合を示す図である。
【００９３】
図示されているように、データ信号線Ｓ（２ｎ−１）と、第１の補助配線１７ａおよび第２の補助配線１８ａとが交差する箇所をレーザー処理して、接続することにより、断線が生じたデータ信号線Ｓ（２ｎ−１）にも、正常にデータ信号を供給することができる。
【００９４】
図９は、リペアアンプ回路２１に供給される極性信号ＰＯＬと同じ極性の極性信号ＰＯＬが供給されるスイッチ部８・９と接続されているデータ信号線Ｓ２・・・Ｓ（２ｎ）中の一つであるデータ信号線Ｓ（２ｎ）に断線が生じ、これを修正した場合を示す図である。
【００９５】
図示されているように、データ信号線Ｓ（２ｎ）と、第１の補助配線１７ｂおよび第２の補助配線１８ｂとが交差する箇所をレーザー処理して、接続することにより、断線が生じたデータ信号線Ｓ（２ｎ）にも、正常にデータ信号を供給することができる。
【００９６】
以上のように、上記構成によれば、極性設定部１２が備えられてなくても、リペアアンプ回路２０・２１を用いて、何れのデータ信号線Ｓ１・・・Ｓ（２ｎ）の断線にも対応することができる。
【００９７】
また、本実施の形態においては、リペアアンプ回路２０・２１をそれぞれ一つずつ設けた場合を例に挙げて説明したが、これに限定されることはなく、これらの数は必要に応じて適宜決定すればよい。
【００９８】
また、本実施の形態においては、インバーター１９を用いて、位相が反転された極性信号を生成しているが、これに限定されず、実施の形態１において記載されている極性設定部１２を用いることもできる。
【００９９】
〔実施の形態３〕
次に、図１０から図１２に基づいて、本発明の第３の実施形態について説明する。本実施の形態の液晶表示装置においては、一つの正極用アンプ回路６と一つの負極用アンプ回路７とを備えた一つのリペアアンプ回路２２を用いて、１水平期間（１Ｈ期間）に極性の異なるデータ信号が供給されるデータ信号線Ｓ１・・・Ｓ（２ｎ）２本を修正できる点において、実施の形態１および２とは異なっており、その他の構成については実施の形態１および２において説明したとおりである。
【０１００】
図１０は、リペアアンプ回路２２を備えた液晶表示パネル２ｂの概略構成を示す図である。
【０１０１】
図示されているように、リペアアンプ回路２２には、２本の第１の補助配線１７ｃ・１７ｄおよび２本の第２の補助配線１８ｃ・１８ｄがそれぞれ電気的に接続されている。
【０１０２】
そして、例えば、ドット反転駆動の場合であって、１水平期間（１Ｈ期間）に極性の異なるデータ信号が供給されるデータ信号線Ｓ１とデータ信号線Ｓ（２ｎ）との２本に生じた断線を、一つのリペアアンプ回路２２を用いて修正する場合には、図示されているように、データ信号線Ｓ１と、第１の補助配線１７ｃおよび第２の補助配線１８ｃとが交差する箇所をレーザー処理して、接続するとともに、データ信号線Ｓ（２ｎ）と、第１の補助配線１７ｄおよび第２の補助配線１８ｄとが交差する箇所をレーザー処理して、接続し、断線が生じたデータ信号線Ｓ１およびデータ信号線Ｓ（２ｎ）の何れにも、正常にデータ信号を供給することができる。
【０１０３】
図１１は、リペアアンプ回路２２の回路構成を示す図である。
【０１０４】
図示されているように、第１の補助配線１７ｃは、スイッチＳＷ１を介して正極用アンプ回路６に接続されているとともに、スイッチＳＷ３を介して負極用アンプ回路７にも接続されている。
【０１０５】
一方、他の第１の補助配線１７ｄは、スイッチＳＷ２を介して負極用アンプ回路７に接続されているとともに、スイッチＳＷ４を介して正極用アンプ回路６にも接続されている。
【０１０６】
そして、正極用アンプ回路６の出力は、スイッチＳＷ５を介して第２の補助配線１８ｃに接続されているとともに、スイッチＳＷ７を介して他の第２の補助配線１８ｄに接続されている。
【０１０７】
一方、負極用アンプ回路７の出力は、スイッチＳＷ８を介して第２の補助配線１８ｃに接続されているとともに、スイッチＳＷ６を介して他の第２の補助配線１８ｄに接続されている。
【０１０８】
そして、スイッチＳＷ１・ＳＷ２・ＳＷ５・ＳＷ６には、極性信号ＰＯＬが供給され、この信号がハイレベルの場合には接続（Ｓｈｏｒｔ）状態となり、ロウレベルの場合には、接続されない（Ｏｐｅｎ）状態となる。
【０１０９】
それから、スイッチＳＷ３・ＳＷ４・ＳＷ７・ＳＷ８には、インバーター１９を介して極性信号ＰＯＬとは極性が反対の極性信号が供給されるようになっており、スイッチＳＷ３・ＳＷ４・ＳＷ７・ＳＷ８も、スイッチＳＷ１・ＳＷ２・ＳＷ５・ＳＷ６と同様に、この信号がハイレベルの場合には接続（Ｓｈｏｒｔ）状態となり、ロウレベルの場合には、接続されない（Ｏｐｅｎ）状態となる。
【０１１０】
図１２は、リペアアンプ回路２２の駆動タイミングチャートを示す図である。
【０１１１】
図示されているように、極性信号ＰＯＬは、１Ｈ期間毎に反転され、スイッチＳＷ１・ＳＷ２が接続（Ｓｈｏｒｔ）状態となるタイミングにおいては、スイッチＳＷ３・ＳＷ４は接続されない（Ｏｐｅｎ）状態となるようになっている。
【０１１２】
そして、極性信号ＰＯＬがハイレベルとなる最初の１Ｈ期間中には、第１の補助配線１７ｃから入力された正極性のデータ信号である入力信号電圧１は、スイッチＳＷ１と、正極用アンプ回路６と、スイッチＳＷ５とを介して第２の補助配線１８ｃから出力信号電圧１として出力され、第１の補助配線１７ｄから入力された負極性のデータ信号である入力信号電圧２は、スイッチＳＷ２と、負極用アンプ回路７と、スイッチＳＷ６とを介して第２の補助配線１８ｄから出力信号電圧２として出力される。
【０１１３】
それから、極性信号ＰＯＬがロウレベルとなる次の１Ｈ期間中には、第１の補助配線１７ｃから入力された負極性のデータ信号である入力信号電圧１は、スイッチＳＷ３と、負極用アンプ回路７と、スイッチＳＷ８とを介して第２の補助配線１８ｃから出力信号電圧１として出力され、第１の補助配線１７ｄから入力された正極性のデータ信号である入力信号電圧２は、スイッチＳＷ４と、正極用アンプ回路６と、スイッチＳＷ７とを介して第２の補助配線１８ｄから出力信号電圧２として出力される。
【０１１４】
上記構成によれば、一つのリペア回路２２を用いて、正極性のデータ信号線の断線の修正と負極性のデータ信号線の断線の修正とを同時に行うことができる。
【０１１５】
したがって、液晶表示パネル２ｂが、例えば、ドット反転駆動やソース反転駆動などのように、隣接するデータ信号線同士の極性が反対である駆動方式を用いて、表示を行う場合に、好適に用いることができる。
【０１１６】
〔実施の形態４〕
次に、図１３から図１８に基づいて、本発明の第４の実施形態について説明する。本実施の形態の液晶表示装置においては、リペアアンプ回路５ａ・５ｂに、極性反転時に、第２の補助配線１８を、リペアアンプ回路５ａ・５ｂから電気的に分離し、かつ、正極用アンプ回路６および負極用アンプ回路７の出力値の範囲内とするための第３切替回路２３・２４・２４ａが備えられている点において、実施の形態１〜３とは異なっており、その他の構成については実施の形態１〜３において説明したとおりである。
【０１１７】
図１３は、本実施の形態の液晶表示装置に備えられたリペアアンプ回路５ａの回路構成を示す図である。
【０１１８】
図示されているように、リペアアンプ回路５ａには、極性反転時に、第２の補助配線１８を、リペアアンプ回路５ａに備えられた正極用アンプ回路６と負極用アンプ回路７との出力から切り離した後に、第２の補助配線１８を、ＧＮＤに接続させるためのスイッチＳＷ５・ＳＷ６・ＳＷ７・ＳＷ８を備えた第３切替回路２３が設けられている。
【０１１９】
そして、上記極性反転時に、正極用アンプ回路６および負極用アンプ回路７中、何れか一方のアンプ回路を介して第２の補助配線１８に出力されるデータ信号が、他方のアンプ回路を介して出力されるように切り替えるため、図示されているように、スイッチＳＷ１・ＳＷ２・ＳＷ３・ＳＷ４が設けられている。
【０１２０】
スイッチＳＷ２・ＳＷ４に供給される極性信号ＰＯＬは、インバーター１９を介して供給されるため、スイッチＳＷ１・ＳＷ３に供給される極性信号ＰＯＬとは、常に逆極性の極性信号が供給されるようになっている。
【０１２１】
図１４は、リペアアンプ回路５ａの駆動タイミングチャートを示す図である。
【０１２２】
図示されているように、スイッチＳＷ１・ＳＷ３とスイッチＳＷ２・ＳＷ４とは、１Ｈ期間毎に、交互に接続（Ｓｈｏｒｔ）状態となるようになっており、スイッチＳＷ５・ＳＷ６は、極性信号ＰＯＬが反転されるタイミング、すなわち、スイッチＳＷ１・ＳＷ２・ＳＷ３・ＳＷ４の状態変化が生じるタイミングより所定期間前に、接続されない（Ｏｐｅｎ）状態となり、スイッチＳＷ１・ＳＷ２・ＳＷ３・ＳＷ４の状態変化後、所定期間後に再び接続（Ｓｈｏｒｔ）状態となるようになっている。
【０１２３】
スイッチＳＷ５・ＳＷ６が接続されない（Ｏｐｅｎ）状態となることにより、第２の補助配線１８を、リペアアンプ回路５ａに備えられた正極用アンプ回路６と負極用アンプ回路７との出力から切り離すことができ、スイッチＳＷ５・ＳＷ６が接続されない（Ｏｐｅｎ）状態において、スイッチＳＷ７・ＳＷ８が所定期間接続（Ｓｈｏｒｔ）状態となることにより、第２の補助配線１８は、所定期間ＧＮＤに接続されることとなる。
【０１２４】
上記構成によれば、第２の補助配線１８と、正極用アンプ回路６または負極用アンプ回路７とが、接続される前に、第２の補助配線１８をリペアアンプ回路５ａの電源電圧範囲Ｖｄｄ１〜Ｖｄｄ２の略中間値であるＧＮＤレベルにできるので、正極用アンプ回路６と負極用アンプ回路７との破損を防止できる。また、ＧＮＤに接続しているので、無駄な電荷の移動がないため、データ信号線を駆動する電力の増加が生じない。
【０１２５】
本実施の形態においては、第２の補助配線１８をスイッチＳＷ７・ＳＷ８を介してＧＮＤに接続させた構成を用いているが、これに限定されることはなく、後述するように、第３切替回路は、第２の補助配線１８をスイッチＳＷ７・ＳＷ８を介してアンプ回路それぞれの電源電圧範囲内（Ｖｄｄ１〜ＧＮＤ、ＧＮＤ〜Ｖｄｄ２）にある電源に接続させてもよく、さらには、第２の補助配線１８を極性反転後に接続する正極用アンプ回路６または、負極用アンプ回路７の電源電圧範囲内のノード（Ｎｏｄｅ）に接続させてもよい。
【０１２６】
図１５に図示されている第３切替回路２４においては、極性反転時に、第２の補助配線１８を、リペアアンプ回路５ｂから電気的に分離し、スイッチＳＷ７・ＳＷ８を介して所定期間毎（１Ｈ期間毎）にＶｄｄ１とＶｄｄ２とを交互に出力する電源Ｐに接続させているので、スイッチＳＷ７・ＳＷ８を同一制御信号を用いて制御する構成とすることができる。
【０１２７】
図１６は、図１５に示すリペアアンプ回路５ｂの駆動タイミングチャートを示す図である。
【０１２８】
図示されているように、第２の補助配線１８から出力される出力信号電圧は、スイッチＳＷ７・ＳＷ８が接続（Ｓｈｏｒｔ）状態となるタイミング毎に、交互に、Ｖｄｄ１または、Ｖｄｄ２レベルとなり、スイッチＳＷ７・ＳＷ８が接続されない（Ｏｐｅｎ）状態となるタイミングには、第１の補助配線１７から入力される入力信号電圧となる。
【０１２９】
図１７は、本実施の形態の液晶表示装置に備えることができる他の第３切替回路２４ａを備えたリペアアンプ回路５ｂの回路構成を示す図である。
【０１３０】
図示されているように、リペアアンプ回路５ｂには、極性反転時に、第２の補助配線１８を、リペアアンプ回路５ｂに備えられた正極用アンプ回路６と負極用アンプ回路７との出力から切り離した後に、第２の補助配線１８を、正極用アンプ回路６の電源電圧範囲内（Ｖｄｄ１〜ＧＮＤ）または、負極用アンプ回路７の電源電圧範囲内（ＧＮＤ〜Ｖｄｄ２）にある電源に接続するための第３切替回路２４ａが備えられている。
【０１３１】
なお、上記極性反転時に、正極用アンプ回路６および負極用アンプ回路７中、何れか一方のアンプ回路を介して第２の補助配線１８に出力されるデータ信号が、他方のアンプ回路を介して出力されるように切り替えるため、図示されているように、スイッチＳＷ１・ＳＷ２・ＳＷ３・ＳＷ４が設けられている。
【０１３２】
そして、スイッチＳＷ２・ＳＷ４に供給される極性信号ＰＯＬは、インバーター１９を介して供給されるため、スイッチＳＷ１・ＳＷ３に供給される極性信号ＰＯＬとは、常に逆極性の極性信号が供給されるようになっている。
【０１３３】
ドット反転駆動を例に挙げて説明すると、上記極性信号は１Ｈ期間（１水平期間）毎に反転されることとなるので、第１の補助配線１７から入力された入力信号は、正極用アンプ回路６および負極用アンプ回路７中、何れか一方のアンプ回路を介して出力され、１Ｈ期間後には、他方のアンプ回路を介して出力されるようになっている。すなわち、第１の補助配線１７から入力された入力信号は、１Ｈ期間毎に正極用アンプ回路６および負極用アンプ回路７を介して交互に出力されるようになっている。
【０１３４】
そして、第３切替回路２４ａ内に備えられたスイッチＳＷ５・ＳＷ６は、タイミングコントローラ１６から供給される一つの制御信号（スイッチＳＷ５・ＳＷ６制御信号）によって、接続（Ｓｈｏｒｔ）状態と接続されない（Ｏｐｅｎ）状態とが切り替る。
【０１３５】
すなわち、スイッチＳＷ５・ＳＷ６は、第２の補助配線１８を、正極用アンプ回路６と負極用アンプ回路７との出力から切り離したり、接続するためのスイッチである。
【０１３６】
なお、上記図１７に示す構成においては、第２の補助配線１８を、正極用アンプ回路６と負極用アンプ回路７との出力から切り離した後に、第２の補助配線１８を接続する電位レベルとして、正極用アンプ回路６の電源電圧範囲内であるＶｄｄ１または、負極用アンプ回路７の電源電圧範囲内であるＶｄｄ２を用いているが、電源電圧範囲内であればこれに限定されることはない。
【０１３７】
そして、第３切替回路２４ａ内には、さらに、スイッチＳＷ７・ＳＷ８が備えられており、スイッチＳＷ７は、第２の補助配線１８を電源電圧Ｖｄｄ１と接続するためのスイッチであり、スイッチＳＷ８は、第２の補助配線１８を電源電圧Ｖｄｄ２と接続するためのスイッチである。
【０１３８】
スイッチＳＷ７およびスイッチＳＷ８のそれぞれには、タイミングコントローラ１６から互いに独立した制御信号であるスイッチＳＷ７の制御信号とスイッチＳ８の制御信号とが供給されるようになっている。
【０１３９】
図１８は、図１７に示す第３切替回路２４ａを備えたリペアアンプ回路５ｂの駆動タイミングチャートを示す図である。
【０１４０】
図示されているように、スイッチＳＷ１・ＳＷ３とスイッチＳＷ２・ＳＷ４とは、１Ｈ期間毎に、交互に接続（Ｓｈｏｒｔ）状態となるようになっており、スイッチＳＷ５・Ｓ６Ｗは、極性信号ＰＯＬが反転されるタイミング、すなわち、スイッチＳＷ１・ＳＷ２・ＳＷ３・ＳＷ４の状態変化が生じるタイミングより所定期間前に、接続されない（Ｏｐｅｎ）状態となり、スイッチＳＷ１・ＳＷ２・ＳＷ３・ＳＷ４の状態変化後、所定期間後に再び接続（Ｓｈｏｒｔ）状態となるようになっている。
【０１４１】
スイッチＳＷ５・ＳＷ６が接続されない（Ｏｐｅｎ）状態となることにより、第２の補助配線１８を、正極用アンプ回路６と負極用アンプ回路７との出力から切り離すことができ、スイッチＳＷ５・ＳＷ６が接続されない（Ｏｐｅｎ）状態において、スイッチＳＷ７とスイッチＳＷ８とが、交互に所定期間接続（Ｓｈｏｒｔ）状態となるようになっている。
【０１４２】
そして、スイッチＳＷ７やスイッチＳＷ８が接続（Ｓｈｏｒｔ）状態となるタイミングは、スイッチＳＷ５・ＳＷ６が接続（Ｓｈｏｒｔ）状態となるタイミングより所定期間前に設定されている。
【０１４３】
このように設定することにより、図示されているように、図１７に示すＡ点の電位レベルを第２の補助配線１８が負極用アンプ回路７と電気的に接続される前には、負極用アンプ回路７の電源電圧範囲内であるＶｄｄ２とすることができ、一方、第２の補助配線１８が正極用アンプ回路６と電気的に接続される前には、正極用アンプ回路６の電源電圧範囲内であるＶｄｄ１とすることができる。
【０１４４】
なお、図示されているように、スイッチＳＷ５・ＳＷ６が接続されない（Ｏｐｅｎ）状態であって、スイッチＳＷ７とスイッチＳＷ８とが接続されない（Ｏｐｅｎ）状態である期間においては、Ａ点での電位レベルは、ハイインピダンス状態や電源電圧などに接続可能であるため、確定しない波形となり、点線で示している。
【０１４５】
以上のように、上記構成によれば、第３切替回路２４ａは、極性信号ＰＯＬに応じて、第１の補助配線１７から入力される入力信号の極性が正極性から負極性に反転する際には、第２の補助配線１８を正極用アンプ回路６および負極用アンプ回路７から電気的に分離した後に、第２の補助配線１８を負極用アンプ回路７の電源電圧範囲内にある電源Ｖｄｄ２と所定期間接続し、極性信号に応じて、第１の補助配線１７から入力される入力信号の極性が負極性から正極性に反転する際には、第２の補助配線１８を正極用アンプ回路６および負極用アンプ回路７から電気的に分離した後に、第２の補助配線１８を正極用アンプ回路６の電源電圧範囲内にある電源Ｖｄｄ１と所定期間接続するようになっている。
【０１４６】
上記構成によれば、第３切替回路２４ａによって、第２の補助配線１８を正極用アンプ回路６と負極用アンプ回路７から電気的に分離した後に、第２の補助配線１８を反転させた極性側のアンプ回路の電源電圧範囲内の電位に近づけた後に、再び、第２の補助配線１８と該アンプ回路とを電気的に接続できるので、リペアアンプ回路５ｂの破損を防止することができる。また、水平期間や垂直期間の変わり目において極性反転を行わない場合には第３切替回路２４ａは動作しないため、余分な電荷の移動による消費電力増加を防止することができる。
【０１４７】
〔実施の形態５〕
次に、図１９から図２４に基づいて、本発明の第５の実施形態について説明する。本実施の形態の液晶表示装置においては、リペアアンプ回路５ｃ・５ｄに、第１の補助配線１７を、リペアアンプ回路５ｃ・５ｄから電気的に分離し、かつ、正極用アンプ回路６および負極用アンプ回路７の出力値の範囲内とするための第４切替回路２５・２６・２６ａが備えられている点において、実施の形態１〜４とは異なっており、その他の構成については実施の形態１〜４において説明したとおりである。
【０１４８】
図１９は、本実施の形態の液晶表示装置に備えられたリペアアンプ回路５ｃの回路構成を示す図である。
【０１４９】
図示されているように、リペアアンプ回路５ｃには、極性反転時に、第１の補助配線１７を、リペアアンプ回路５ｃに備えられた正極用アンプ回路６と負極用アンプ回路７とから切り離した後に、第１の補助配線１７を、所定期間ＧＮＤに接続させるためのスイッチＳＷ５・ＳＷ６・ＳＷ７・ＳＷ８を備えた第４切替回路２５が設けられている。
【０１５０】
図２０は、リペアアンプ回路５ｃの駆動タイミングチャートを示す図である。
【０１５１】
図示されているように、スイッチＳＷ１・ＳＷ３とスイッチＳＷ２・ＳＷ４とは、１Ｈ期間毎に、交互に接続（Ｓｈｏｒｔ）状態となるようになっており、スイッチＳＷ５・ＳＷ６は、極性信号ＰＯＬが反転されるタイミング、すなわち、スイッチＳＷ１・ＳＷ２・ＳＷ３・ＳＷ４の状態変化が生じるタイミングより所定期間前に、接続されない（Ｏｐｅｎ）状態となり、スイッチＳＷ１・ＳＷ２・ＳＷ３・ＳＷ４の状態変化後、所定期間後に再び接続（Ｓｈｏｒｔ）状態となるようになっている。
【０１５２】
そして、スイッチＳＷ５・ＳＷ６が接続されない（Ｏｐｅｎ）状態である期間中に、スイッチＳＷ７・ＳＷ８は接続（Ｓｈｏｒｔ）状態となるように設定されている。
【０１５３】
図示されているように、スイッチＳＷ７・ＳＷ８が接続（Ｓｈｏｒｔ）状態となるタイミングに、第１の補助配線１７から入力される入力信号電圧は、ＧＮＤレベルとなる。
【０１５４】
一方、第２の補助配線１８から出力される出力信号電圧は、スイッチＳＷ５・ＳＷ６が接続されない（Ｏｐｅｎ）状態となるタイミングには、ハイインピダンス状態や電源電圧などに接続可能であるため、確定しない波形となり、点線で示している。
【０１５５】
なお、スイッチＳＷ５・ＳＷ６が接続されない（Ｏｐｅｎ）状態であって、スイッチＳＷ７・ＳＷ８が接続されない（Ｏｐｅｎ）状態である期間においては、第１の補助配線１７から入力される入力信号電圧は、ハイインピダンス状態や電源電圧などに接続可能であるため、確定しない波形となり、点線で示している。
【０１５６】
上記構成によれば、第１の補助配線１７と、正極用アンプ回路６または負極用アンプ回路７とが、接続される前に、第１の補助配線１７をリペアアンプ回路５ｃの電源電圧範囲Ｖｄｄ１〜Ｖｄｄ２の略中間値であるＧＮＤレベルにできるので、正極用アンプ回路６と負極用アンプ回路７との破損を防止できる。また、ＧＮＤに接続しているので、無駄な電荷の移動がないため、データ信号線を駆動する電力の増加が生じない。
【０１５７】
本実施の形態においては、第１の補助配線１７をスイッチＳＷ７・ＳＷ８を介してＧＮＤに接続させた構成を用いているが、これに限定されることはなく、後述するように、第１の補助配線１７をスイッチＳＷ７・ＳＷ８を介してアンプ回路それぞれの電源電圧範囲内（Ｖｄｄ１〜ＧＮＤ、ＧＮＤ〜Ｖｄｄ２）にある電源に接続させてもよく、さらには、第１の補助配線１７を極性反転後に接続する正極用アンプ回路６または、負極用アンプ回路７の電源電圧範囲内のノード（Ｎｏｄｅ）に接続させてもよい。
【０１５８】
図２１に図示されている第４切替回路２６においては、第１の補助配線１７を、スイッチＳＷ７・ＳＷ８を介して所定期間毎（１Ｈ期間毎）にＶｄｄ１とＶｄｄ２とを交互に出力する電源Ｐに接続させているので、スイッチＳＷ７・ＳＷ８を同一制御信号を用いて制御する構成とすることができる。
【０１５９】
図２２は、図２１に示すリペアアンプ回路５ｄの駆動タイミングチャートを示す図である。
【０１６０】
図示されているように、第１の補助配線１７に入力される入力信号電圧は、スイッチＳＷ７・ＳＷ８が接続（Ｓｈｏｒｔ）状態となるタイミング毎に、交互に、Ｖｄｄ１または、Ｖｄｄ２レベルとなり、スイッチＳＷ７・ＳＷ８が接続されない（Ｏｐｅｎ）状態となり、スイッチＳＷ５・ＳＷ６が接続（Ｓｈｏｒｔ）状態となるタイミングには、第１の補助配線１７から入力される入力信号電圧となる。
【０１６１】
図示されているように、スイッチＳＷ５・ＳＷ６が接続されない（Ｏｐｅｎ）状態となるタイミングには、第２の補助配線１８から出力される出力信号電圧は、ハイインピダンス状態や電源電圧などに接続可能であるため、確定しない波形となり、点線で示している。
【０１６２】
なお、スイッチＳＷ５・ＳＷ６が接続されない（Ｏｐｅｎ）状態であって、スイッチＳＷ７・ＳＷ８が接続されない（Ｏｐｅｎ）状態である期間においては、第１の補助配線１７から入力される入力信号電圧は、ハイインピダンス状態や電源電圧などに接続可能であるため、確定しない波形となり、点線で示している。
【０１６３】
図２３は、本実施の形態の液晶表示装置に備えることができる他の第４切替回路２６ａを備えたリペアアンプ回路５ｄの回路構成を示す図である。
【０１６４】
図示されているように、リペアアンプ回路５ｄには、極性反転時に、第１の補助配線１７を、リペアアンプ回路５ｄに備えられた正極用アンプ回路６と負極用アンプ回路７との出力から切り離した後に、第１の補助配線１７を、正極用アンプ回路６の電源電圧範囲内（Ｖｄｄ１〜ＧＮＤ）または、負極用アンプ回路７の電源電圧範囲内（ＧＮＤ〜Ｖｄｄ２）にある電源に接続するための第４切替回路２６ａが備えられている。
【０１６５】
なお、上記極性反転時に、正極用アンプ回路６および負極用アンプ回路７中、何れか一方のアンプ回路を介して第２の補助配線１８に出力されるデータ信号が、他方のアンプ回路を介して出力されるように切り替えるため、図示されているように、スイッチＳＷ１・ＳＷ２・ＳＷ３・ＳＷ４が設けられている。
【０１６６】
そして、スイッチＳＷ２・ＳＷ４に供給される極性信号ＰＯＬは、インバーター１９を介して供給されるため、スイッチＳＷ１・ＳＷ３に供給される極性信号ＰＯＬとは、常に逆極性の極性信号が供給されるようになっている。
【０１６７】
ドット反転駆動を例に挙げて説明すると、上記極性信号は１Ｈ期間（１水平期間）毎に反転されることとなるので、第１の補助配線１７から入力された入力信号は、正極用アンプ回路６および負極用アンプ回路７中、何れか一方のアンプ回路を介して出力され、１Ｈ期間後には、他方のアンプ回路を介して出力されるようになっている。すなわち、第１の補助配線１７から入力された入力信号は、１Ｈ期間毎に正極用アンプ回路６および負極用アンプ回路７を介して交互に出力されるようになっている。
【０１６８】
そして、第４切替回路２６ａ内に備えられたスイッチＳＷ５・ＳＷ６は、タイミングコントローラ１６から供給される一つの制御信号（スイッチＳＷ５・ＳＷ６制御信号）によって、接続（Ｓｈｏｒｔ）状態と接続されない（Ｏｐｅｎ）状態とが切り替る。
【０１６９】
すなわち、スイッチＳＷ５・ＳＷ６は、第１の補助配線１７を、正極用アンプ回路６と負極用アンプ回路７とから切り離したり、接続するためのスイッチである。
【０１７０】
なお、図２３に示す構成においては、第１の補助配線１７を、正極用アンプ回路６と負極用アンプ回路７とから切り離した後に、第１の補助配線１７を接続する電位レベルとして、正極用アンプ回路６の電源電圧範囲内であるＶｄｄ１または、負極用アンプ回路７の電源電圧範囲内であるＶｄｄ２を用いているが、電源電圧範囲内であればこれに限定されることはない。
【０１７１】
そして、第４切替回路２６ａ内には、さらに、スイッチＳＷ７・ＳＷ８が備えられており、スイッチＳＷ７は、第１の補助配線１７を電源電圧Ｖｄｄ２と接続するためのスイッチであり、スイッチＳＷ８は、第１の補助配線１７を電源電圧Ｖｄｄ１と接続するためのスイッチである。
【０１７２】
スイッチＳＷ７およびスイッチＳＷ８のそれぞれには、タイミングコントローラ１６から互いに独立した制御信号であるスイッチＳＷ７の制御信号とスイッチＳ８の制御信号とが供給されるようになっている。
【０１７３】
図２４は、図２３に示す第４切替回路２６ａを備えたリペアアンプ回路５ｄの駆動タイミングチャートを示す図である。
【０１７４】
図示されているように、スイッチＳＷ１・ＳＷ３とスイッチＳＷ２・ＳＷ４とは、１Ｈ期間毎に、交互に接続（Ｓｈｏｒｔ）状態となるようになっており、スイッチＳＷ５・Ｓ６Ｗは、極性信号ＰＯＬが反転されるタイミング、すなわち、スイッチＳＷ１・ＳＷ２・ＳＷ３・ＳＷ４の状態変化が生じるタイミングより所定期間前に、接続されない（Ｏｐｅｎ）状態となり、スイッチＳＷ１・ＳＷ２・ＳＷ３・ＳＷ４の状態変化後、所定期間後に再び接続（Ｓｈｏｒｔ）状態となるようになっている。
【０１７５】
スイッチＳＷ５・ＳＷ６が接続されない（Ｏｐｅｎ）状態となることにより、第１の補助配線１７を、正極用アンプ回路６と負極用アンプ回路７とから切り離すことができ、スイッチＳＷ５・ＳＷ６が接続されない（Ｏｐｅｎ）状態において、スイッチＳＷ７とスイッチＳＷ８とが、交互に所定期間接続（Ｓｈｏｒｔ）状態となるようになっている。
【０１７６】
そして、スイッチＳＷ７やスイッチＳＷ８が接続（Ｓｈｏｒｔ）状態となるタイミングは、スイッチＳＷ５・ＳＷ６が接続（Ｓｈｏｒｔ）状態となるタイミングより所定期間前に設定されている。
【０１７７】
このように設定することにより、図示されているように、図２３に示すＡ点の電位レベルを第１の補助配線１７が負極用アンプ回路７と電気的に接続される前には、負極用アンプ回路７の電源電圧範囲内であるＶｄｄ２とすることができ、一方、第１の補助配線１７が正極用アンプ回路６と電気的に接続される前には、正極用アンプ回路６の電源電圧範囲内であるＶｄｄ１とすることができる。
【０１７８】
なお、図示されているように、スイッチＳＷ５・ＳＷ６が接続されない（Ｏｐｅｎ）状態であって、スイッチＳＷ７とスイッチＳＷ８とが接続されない（Ｏｐｅｎ）状態である期間においては、Ａ点での電位レベルは、ハイインピダンス状態や電源電圧などに接続可能であるため、確定しない波形となり、点線で示している。
【０１７９】
また、図示されているように、スイッチＳＷ５・ＳＷ６が接続されない（Ｏｐｅｎ）状態となるタイミング間には、図２３に示すＢ点の電位レベルである第２の補助配線１８から出力される出力信号電圧は、ハイインピダンス状態や電源電圧などに接続可能であるため、確定しない波形となり、点線で示している。
【０１８０】
以上のように、上記構成によれば、第４切替回路２６ａは、極性信号ＰＯＬに応じて、第１の補助配線１７から入力される入力信号の極性が正極性から負極性に反転する際には、第１の補助配線１７を正極用アンプ回路６および負極用アンプ回路７から電気的に分離した後に、第１の補助配線１７を負極用アンプ回路７の電源電圧範囲内にある電源Ｖｄｄ２と所定期間接続し、極性信号に応じて、第１の補助配線１７から入力される入力信号の極性が負極性から正極性に反転する際には、第１の補助配線１７を正極用アンプ回路６および負極用アンプ回路７から電気的に分離した後に、第１の補助配線１７を正極用アンプ回路６の電源電圧範囲内にある電源Ｖｄｄ１と所定期間接続するようになっている。
【０１８１】
したがって、第４切替回路２６ａによって、第１の補助配線１７を正極用アンプ回路６と負極用アンプ回路７とから電気的に分離した後に、第１の補助配線１７を反転させた極性側のアンプ回路の電源電圧範囲内の電位に近づけた後に、再び、第１の補助配線１７と該アンプ回路とを電気的に接続できるので、リペアアンプ回路５ｄの破損を防止することができる。また、水平期間や垂直期間の変わり目において極性反転を行わない場合には、第４切替回路２６ａは動作しないため、余分な電荷の移動による消費電力増加を防止することができる。
【０１８２】
本発明の表示装置において、上記正極用アンプ回路および上記負極用アンプ回路は、第１切替回路を介して上記第１の補助配線に接続されているとともに、第２切替回路を介して上記第２の補助配線に接続されていることが好ましい。
【０１８３】
本発明の表示装置において、上記第１および第２切替回路は、上記データ信号線に供給されるデータ信号の極性を反転させる極性信号に応じて、切替動作を行うことが好ましい。
【０１８４】
上記表示装置には、データ信号線に断線などの不具合が生じた場合に、修正を行い、駆動させるための補助配線である第１の補助配線および第２の補助配線と、正極用アンプ回路および負極用アンプ回路と、が備えられている。
【０１８５】
そして、上記第１および第２切替回路は、上記データ信号の極性を反転させる極性信号に応じて、正極用アンプ回路または、負極用アンプ回路を介して出力するようになっている。
【０１８６】
したがって、正極用アンプおよび負極用アンプの耐圧を従来のアンプより小さくすることができる。
【０１８７】
よって、上記構成によれば、低消費電力化を実現できる。
【０１８８】
本発明の表示装置においては、上記極性信号の位相を反転させることが可能な極性設定部が備えられていることが好ましい。
【０１８９】
上記構成によれば、上記極性設定部を用いて、極性設定をすることにより、一つの上記リペア回路をどのデータ信号線の断線の修正にも用いることができる。
【０１９０】
したがって、上記表示装置が、例えば、ドット反転駆動やソース反転駆動などのように、隣接するデータ信号線同士の極性が反対である駆動方式を用いて、表示を行う表示装置である場合に、好適に用いることができる。
【０１９１】
本発明の表示装置において、リペア回路は、上記正極用アンプ回路と上記負極用アンプ回路とを備えており、上記極性信号により制御されるリペア回路と、位相が反転された極性信号により制御されるリペア回路とが備えられていることが好ましい。
【０１９２】
上記構成によれば、同一極性信号、例えば、ハイレベル（ロウレベル）の極性信号に対して、上記正極用アンプ回路を介して出力を行うリペア回路と、上記負極用アンプ回路を介して出力を行うリペア回路とがそれぞれ備えられているため、上記表示装置が、例えば、ドット反転駆動やソース反転駆動などのように、隣接するデータ信号線同士の極性が反対である駆動方式を用いて、表示を行う表示装置である場合に、好適に用いることができる。
【０１９３】
本発明の表示装置において、リペア回路は、上記正極用アンプ回路と上記負極用アンプ回路とを備えており、上記リペア回路には、上記第２の補助配線を上記正極用アンプ回路と上記負極用アンプ回路から電気的に分離した後に、上記第２の補助配線を上記正極用アンプ回路あるいは上記負極用アンプ回路の電源電圧範囲内にあるノードと所定期間接続するための第３切替回路が備えられており、該第３切替回路は、上記データ信号線駆動回路から出力される上記データ信号の極性が反転するときのみ、切替え動作を行うことが好ましい。
【０１９４】
上記構成によれば、上記第３切替回路によって、上記第２の補助配線を上記正極用アンプ回路と上記負極用アンプ回路から電気的に分離した後に、上記第２の補助配線を反転させた極性側のアンプ回路の電源電圧範囲内の電位に近づけた後に、再び、上記第２の補助配線と該アンプ回路とを電気的に接続できるので、リペア回路の破損を防止することができる。また、水平期間や垂直期間の変わり目において極性反転を行わない場合には上記第３切替回路は動作しないため、余分な電荷の移動による消費電力増加を防止することができる。
【０１９５】
本発明の表示装置において、上記第３切替回路は、上記第２の補助配線を上記正極用アンプ回路と上記負極用アンプ回路から電気的に分離した後に、上記第２の補助配線を所定期間接地することが好ましい。
【０１９６】
上記構成によれば、上記第３切替回路は、上記第２の補助配線を上記正極用アンプ回路と上記負極用アンプ回路とから電気的に分離した後に接地するので、無駄な電荷の移動がなく、データ信号線を駆動する電力の増加を招かないので、低消費電力化を実現することができる。
【０１９７】
本発明の表示装置において、上記第３切替回路は、上記表示装置の表示領域中のいずれの走査信号線も選択されていないときにのみ切替え動作を行うことが好ましい。
【０１９８】
上記構成によれば、上記切替え動作によって、表示に影響を与えることが無い。
【０１９９】
本発明の表示装置において、リペア回路は、上記正極用アンプ回路と上記負極用アンプ回路とを備えており、上記リペア回路には、上記第１の補助配線を上記正極用アンプ回路と上記負極用アンプ回路から電気的に分離した後に、上記第１の補助配線を上記正極用アンプ回路あるいは上記負極用アンプ回路の電源電圧範囲内にあるノードと所定期間接続するための第４切替回路が備えられており、該第４切替回路は、上記データ信号線駆動回路から出力される上記データ信号の極性が反転するときのみ、切替え動作を行うことが好ましい。
【０２００】
上記構成によれば、上記第４切替回路によって、上記第１の補助配線を上記正極用アンプ回路と上記負極用アンプ回路とから電気的に分離した後に、上記第１の補助配線を反転させた極性側のアンプ回路の電源電圧範囲内の電位に近づけた後に、再び、上記第１の補助配線と該アンプ回路とを電気的に接続できるので、リペア回路の破損を防止することができる。また、水平期間や垂直期間の変わり目において極性反転を行わない場合には上記第４切替回路は動作しないため、余分な電荷の移動による消費電力増加を防止することができる。
【０２０１】
本発明の表示装置において、上記第４切替回路は、上記第１の補助配線を上記正極用アンプ回路と上記負極用アンプ回路から電気的に分離した後に、上記第１の補助配線を所定期間接地することが好ましい。
【０２０２】
上記構成によれば、上記第４切替回路は、上記第１の補助配線を上記正極用アンプ回路と上記負極用アンプ回路から電気的に分離した後に接地するので、無駄な電荷の移動がなく、データ信号線を駆動する電力の増加を招かないので、低消費電力化を実現することができる。
【０２０３】
本発明の表示装置において、上記第４切替回路は、上記表示装置の表示領域中のいずれの走査信号線も選択されていないときにのみ切替え動作を行うことが好ましい。
【０２０４】
上記構成によれば、上記切替え動作によって、表示に影響を与えることが無い。
【０２０５】
本発明の表示装置は、上記データ信号線駆動回路においては、複数の上記正極用アンプ回路および上記負極用アンプ回路が備えられていることが好ましい。
【０２０６】
上記構成によれば、上記データ信号線駆動回路において、上記データ信号線毎に上記正極用アンプ回路および上記負極用アンプ回路が備えられているので、低消費電力化を実現できる。
【０２０７】
本発明の表示装置において、リペア回路は、上記正極用アンプ回路と上記負極用アンプ回路とを備えており、上記第１の補助配線および上記第２の補助配線は、上記リペア回路一つにつきそれぞれ２つずつ備えられており、上記リペア回路は、上記データ信号線に供給されるデータ信号の極性を反転させる極性信号に応じて、上記２つの第１の補助配線中の一方から入力され、上記正極用アンプ回路または、上記負極用アンプ回路の何れか一方を介して出力される上記データ信号は、上記２つの第２の補助配線中の一方から出力され、上記２つの第１の補助配線中の他方から入力され、上記正極用アンプ回路または、上記負極用アンプ回路の何れか一方を介して出力される上記データ信号は、上記２つの第２の補助配線中の他方から出力されることが好ましい。
【０２０８】
上記構成によれば、一つの上記リペア回路を用いて、断線した２本のデータ信号線の断線の修正を同時に行うことができる。
【０２０９】
したがって、上記表示装置が、上記リペア回路を搭載する数量を低減できるため、安価な表示装置を実現できる。
【０２１０】
本発明の表示装置において、上記正極用アンプ回路のＬｏｗ側電源と上記負極用アンプ回路のＨｉｇｈ側電源とを共用することが好ましい。
【０２１１】
上記構成によれば、上記正極用アンプ回路および上記負極用アンプ回路用に生成する電源数を減らせられるので、簡易な回路構成にて低電力化を実現することができる。
【０２１２】
本発明の表示装置において、上記共用した電源電圧の電位レベルを接地時の電位とすることが好ましい。
【０２１３】
上記の構成によれば、上記正極用アンプ回路および上記負極用アンプ回路用に生成する電源数を更に減らせられるので、簡易な回路構成にて低電力化を実現することができる。
【０２１４】
本発明の表示装置において、上記正極用アンプ回路のＨｉｇｈ側の電源電圧値と上記負極用アンプ回路のＬｏｗ側の電源電圧値の絶対値との差は、０．５Ｖ以下であることが好ましい。
【０２１５】
上記構成によれば、上記正極用アンプ回路および上記負極用アンプ回路に供給される正負電源電圧が同程度の電位レベルであるため、電源昇圧回路の回路構成が容易となる。
【０２１６】
本発明の表示装置において、上記複数のデータ信号線の何れか一つと、上記第１の補助配線および上記第２の補助配線とは、電気的に接続されていることが好ましい。
【０２１７】
上記構成によれば、断線などの不具合が生じたデータ信号線と上記第１の補助配線および上記第２の補助配線とを電気的に接続させることにより、断線が生じた上記データ信号線にもデータ信号を正常に供給することができる。
【０２１８】
本発明の液晶表示装置には、表示パネルが備えられており、上記表示パネルが液晶表示パネルであってもよい。
【０２１９】
液晶表示装置においては、液晶層における液晶分子の分極などを避けるため、極性反転駆動が一般的に用いられているので、上記構成によれば、液晶表示装置において、データ信号線の断線の修正が可能となり、歩留まり良く表示パネルを製造することができる。
【０２２０】
本発明の表示装置においては、上記第２の補助配線を上記正極用アンプ回路と接続する前には、上記第２の補助配線は接地時の電位より高い電源電圧範囲にあるノードと所定期間接続され、上記第２の補助配線を上記負極用アンプ回路と接続する前には、上記第２の補助配線は接地時の電位より低い電源電圧範囲にあるノードと所定期間接続されることが好ましい。
【０２２１】
上記構成によれば、第２の補助配線を正極用アンプ回路と負極用アンプ回路から電気的に分離した後に、第２の補助配線を反転させた極性側のアンプ回路の電源電圧範囲内の電位に近づけた後に、再び、第２の補助配線と該アンプ回路とを電気的に接続できるので、リペアアンプ回路の破損を防止することができる。
【０２２２】
本発明の表示装置においては、上記第１の補助配線を上記正極用アンプ回路と接続する前には、上記第１の補助配線は接地時の電位より高い電源電圧範囲にあるノードと所定期間接続され、上記第１の補助配線を上記負極用アンプ回路と接続する前には、上記第１の補助配線は接地時の電位より低い電源電圧範囲にあるノードと所定期間接続されることが好ましい。
【０２２３】
上記構成によれば、第１の補助配線を正極用アンプ回路と負極用アンプ回路とから電気的に分離した後に、第１の補助配線を反転させた極性側のアンプ回路の電源電圧範囲内の電位に近づけた後に、再び、第１の補助配線と該アンプ回路とを電気的に接続できるので、リペアアンプ回路の破損を防止することができる。
【０２２４】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０２２５】
本発明は、液晶表示装置などの表示装置に好適に用いることができる。
【符号の説明】
【０２２６】
１                      液晶表示装置（表示装置）
２、２ａ、２ｂ          液晶表示パネル
３                      走査信号線駆動回路
４                      データ信号線駆動回路
５ａ、５ｂ、５ｃ、５ｄ  リペアアンプ回路（リペア回路）
６                      正極用アンプ回路
７                      負極用アンプ回路
８                      スイッチ部（第１切替回路）
９                      スイッチ部（第２切替回路）
１０                    配線
１１                    ロジック回路
１２                      極性設定部
１３                      ＦＰＣ
１４                      コントロール基板
１５                      電源生成回路
１６                      タイミングコントローラ
１７、１７ａ、１７ｂ、１７ｃ、１７ｄ  第１の補助配線
１８、１８ａ、１８ｂ、１８ｃ、１８ｄ  第２の補助配線
１９                      インバーター
２０                      リペアアンプ回路（リペア回路）
２１                      リペアアンプ回路（リペア回路）
２２                      リペアアンプ回路（リペア回路）
２３                      第３切替回路
２４、２４ａ              第３切替回路
２５                      第４切替回路
２６、２６ａ              第４切替回路
ＳＷ                      スイッチ
Ｒ１                      表示領域
Ｓｎ                      データ信号線
ＰＯＬ                    極性信号
【図１】
2012137851.tif 000003
【図２】
2012137851.tif 000004
【図３】
2012137851.tif 000005
【図４】
2012137851.tif 000006
【図５】
2012137851.tif 000007
【図６】
2012137851.tif 000008
【図７】
2012137851.tif 000009
【図８】
2012137851.tif 000010
【図９】
2012137851.tif 000011
【図１０】
2012137851.tif 000012
【図１１】
2012137851.tif 000013
【図１２】
2012137851.tif 000014
【図１３】
2012137851.tif 000015
【図１４】
2012137851.tif 000016
【図１５】
2012137851.tif 000017
【図１６】
2012137851.tif 000018
【図１７】
2012137851.tif 000019
【図１８】
2012137851.tif 000020
【図１９】
2012137851.tif 000021
【図２０】
2012137851.tif 000022
【図２１】
2012137851.tif 000023
【図２２】
2012137851.tif 000024
【図２３】
2012137851.tif 000025
【図２４】
2012137851.tif 000026
【図２５】
2012137851.tif 000027
【図２６】
2012137851.tif 000028
【国際調査報告】
2012137851.tif 000029
2012137851.tif 000030
2012137851.tif 000031
2012137851.tif 000032